(57)【要約】【課題】            マルチパス波のような相関の高い信号を含む複数の入射波の到来方向を、アンテナのビーム幅で決まる角度分解能以上の精度で推定し、かつ全体の演算量を低減する。【解決手段】        比較的広い探索範囲に対して粗い探索グリッド間隔を用いて最尤推定測角処理を行い、その結果に基づいて探索領域を絞る探索範囲更新処理部１０６ｂとともに、前回よりも狭い間隔による探索グリッドを設定する探索角度分解能更新処理部１０６ｃを備え、再び最尤推定測角処理を行うことによって測角精度を逐次的に向上していくこととした。【選択図】          図１
2008096137.tif 000002
【特許請求の範囲】
【請求項１】
波源からの入射波を受信する受信アンテナと、
受信アンテナが受信した受信信号のサンプル値を記憶する記憶部と、
外部受信アンテナに到来する入射波の波源が存在する領域に探索範囲と探索角度分解能を設定する探索範囲設定手段と、
前記探索範囲より前記探索角度分解能に基づいて得た部分領域から、その部分領域に前記波源が存在するとすれば前記受信信号の状態に最も符合する部分領域を、前記波源が存在する領域として選択し出力する最尤推定測角手段と、
を備えるレーダ装置において、
前記探索範囲設定手段は、前記最尤推定測角手段が出力した前記波源が存在する部分領域の近傍に絞って、新たな探索範囲を設定するとともに、前記探索角度分解能よりも細かい新たな探索角度分解能を設定することを特徴とするレーダ装置。
【請求項２】
外部受信アンテナに到来する入射波の波源が存在する領域に探索範囲と探索角度分解能を設定する探索範囲設定手段と、
前記探索範囲より前記探索角度分解能に基づいて得た部分領域から、その部分領域に前記波源が存在するとすれば前記受信信号の状態に最も符合する部分領域を、前記波源が存在する領域として選択し出力する最尤推定測角手段と、
を備えるレーダ装置において、
前記探索範囲設定手段は、前記最尤推定測角手段が出力した前記波源が存在する部分領域の近傍に絞って、新たな探索範囲を設定するとともに、前記探索角度分解能よりも細かい新たな探索角度分解能を設定することを特徴とするレーダ装置。
【請求項３】
前記探索範囲設定手段は、前記探索範囲において前記探索角度分解能に基づく間隔で探索グリッドを設定するとともに、前記最尤推定測角手段が前記波源が存在する領域を出力した場合には、その領域の近傍に絞って、前記間隔よりも狭い間隔で新たな探索グリッドを設定し、
前記最尤推定測角手段は、前記探索グリッドの中から前記波源に近いグリッドを選択し、その探索グリッドの近傍を前記波源が存在する領域として出力することを特徴とする請求項１又は請求項２に記載のレーダ装置。
【請求項４】
前記最尤推定測角手段は、前記探索グリッドから、その探索グリッドの位置に前記波源があるとすれば前記受信信号の状態に最も符合する探索グリッドを選択することを特徴とする請求項３に記載のレーダ装置。
【請求項５】
前記最尤推定測角手段は、前記探索グリッドのそれぞれについて所定の尤度関数値を算出し、その尤度関数値が最大となる探索グリッドを前記受信信号の状態に最も符合する探索グリッドとして選択することを特徴とする請求項４に記載のレーダ装置。
【請求項６】
前記探索範囲設定手段は、前記最尤推定測角手段が算出した尤度関数値に基づいて前記探索グリッド近傍の角度から入射波が到来している可能性を示す評価値を算出し、この評価値に基づいて新たな探索範囲を設定するとともに、この新たな探索範囲内に新たな探索グリッドを設定することを特徴とする請求項５に記載のレーダ装置。
【請求項７】
前記最尤推定測角手段は、所定の判定基準に基づいて入射波の波源の個数を推定し、前記個数と同数の探索グリッドを選択することを特徴とする請求項３乃至６に記載のレーダ装置。
【請求項８】
前記最尤推定測角手段は、前記探索範囲設定手段が設定した新たな探索グリッドから前記入射波の波源の個数の探索グリッドを選ぶすべての組み合わせについて対数尤度を算出することを特徴とする請求項７に記載のレーダ装置。
【請求項９】
前記最尤推定測角手段は、前記探索範囲設定手段によって設定された新たな探索範囲と新たな探索角度分解能に基づいて前記波源が存在する部分領域を選択するにあたり、前記新たな探索範囲と新たな探索角度分解能とが設定されるまでに前記受信アンテナにより新たに受信された受信信号を前記受信信号の状態に反映させてから、前記部分領域を選択することを特徴とする請求項１乃至請求項８のいずれか一に記載のレーダ装置。
【発明の詳細な説明】
【技術分野】
【０００１】
この発明は、入射波の到来方向を測定する測角装置に係るものであり、特にパッシブセンサアレイを用いて最尤推定原理に基づく入射角到来方向推定処理を行う技術に関するものである
【背景技術】
【０００２】
アンテナのビーム幅で決まる角度分解能以上の精度で入射波の到来方向を推定する測角方法の一つとして、パッシブセンサアレイを用いて最尤推定原理に基づいて高分解能に入射波の到来方向を推定する方式がある。この方式は、まず波源の存在が予想される位置の近傍の領域に細かい探索グリッドを定義して、「Ｋ個の波源が探索グリッド上のどの点に存在すると仮定すれば最も受信信号の状態とつじつまが合うか」を探索する手法である（例えば、非特許文献１）。
【０００３】
【非特許文献１】Ｉｌａｎ  Ｚｉｓｋｉｎｄ  ａｎｄ  Ｍａｔｉ  Ｗａｘ，  "Ｍａｘｉｍｕｍ  Ｌｉｋｅｌｉｈｏｏｄ  Ｌｏｃａｌｉｚａｔｉｏｎ  ｏｆ  Ｍｕｌｔｉｐｌｅ  Ｓｏｕｒｃｅｓ  ｂｙ  Ａｌｔｅｒｎａｔｉｎｇ  Ｐｒｏｊｅｃｔｉｏｎ，"ＩＥＥＥ  Ｔａｎｓ．  Ｏｎ  Ａｃｏｕｓｔｉｃｓ，  Ｓｐｅｅｃｈ，  ａｎｄ  Ｓｉｇｎａｌ  Ｐｒｏｃｅｓｓｉｎｇ，  Ｖｏｌ．３６，  Ｎｏ．１０，  Ｏｃｔ．  １９８８
【発明の開示】
【発明が解決しようとする課題】
【０００４】
従来の方法では、探索グリッドの間隔（または「探索角度分解能」）を細かくすることにより、測角精度を向上できるが、演算量が爆発的に増える問題がある。この問題に対する対策として、演算量増加を抑えるため、局所探索を利用する方式が知られている。しかしこの方法では、局所解に陥り、測角精度が大幅に劣化する可能性がある。
【０００５】
この発明は、上記の課題を解決するためになされたものである。すなわち、最尤推定原理に基づく入射角到来方向推定処理を用いて測角精度を維持しつつも、演算量を削減して計算機資源の節約、処理性能の向上を達成するレーダ装置を提供することを目的とする。
【課題を解決するための手段】
【０００６】
この発明に係るレーダ装置は、波源からの入射波を受信する受信アンテナと、
受信アンテナが受信した受信信号のサンプル値を記憶する記憶部と、
外部受信アンテナに到来する入射波の波源が存在する領域に探索範囲と探索角度分解能を設定する探索範囲設定手段と、
前記探索範囲より前記探索角度分解能に基づいて得た部分領域から、その部分領域に前記波源が存在するとすれば前記受信信号の状態に最も符合する部分領域を、前記波源が存在する領域として選択し出力する最尤推定測角手段と、
を備えるレーダ装置であって、
前記探索範囲設定手段は、前記最尤推定測角手段が出力した前記波源が存在する部分領域の近傍に絞って、新たな探索範囲を設定するとともに、前記探索角度分解能よりも細かい新たな探索角度分解能を設定するものである。
【発明の効果】
【０００７】
この発明に係るレーダ装置によれば、まず比較的広い探索範囲に対して粗い探索グリッド間隔を用いて最尤推定測角処理を行い、その結果に基づいて探索領域を絞ると共に探索グリッド間隔を狭めて、再び最尤推定測角処理を行うことによって測角精度を逐次的に向上していくこととしたので、演算量を削減しながらアンテナのビーム幅で決まる角度分解能以上の精度で推定することができる。
【発明を実施するための最良の形態】
【０００８】
以下、この発明の実施の形態について説明する。
実施の形態１．
図１は、この発明の実施の形態による測角機能を有するレーダ装置の構成を示すブロック図である。図において、受信アンテナ１０１は、観測領域をカバーするようにビームを走査するアンテナであって、走査の方法としては機械的な方法によるものの他、あるいは、受信アンテナ１０１をアレイアンテナの構成として、シングルビームを電子的に走査する方式、または複数アンテナを用いてマルチビームを形成することによって観測領域をカバーする方式、またはマルチビームのアンテナを機械的に走査する方式を採用しても良い。アンテナ方式に関しては上記のいずれの方式を採用しても本実施の形態１で説明するその他の処理を適用することが可能であるが、以下では、図３に示すように、観測領域をＭ本のビームを用いて観測する場合に一般化して説明する。また、Ｍ本のビームのビームパターンは事前の計測などにより既知であるものとする。
【０００９】
受信機１０２は、受信アンテナ１０１により受信された信号に対して検波処理を施す部位である。Ａ／Ｄ変換器１０３は受信機１０２が出力するアナログ受信信号をディジタル受信信号に変換して、サンプリングデータを出力する回路又は素子である。記憶部１０４はＡ／Ｄ変換器１０３がサンプリングしたデータを一時的に記憶するＲＡＭ（Ｒａｎｄｏｍ  Ａｃｃｅｓｓ  Ｍｅｍｏｒｙ）回路又は素子により構成されるが、このＲＡＭを管理するコントローラやコンピュータプログラムを含んでいてもよい。
【００１０】
初期設定部１０５ａおよび尤度関数算出部１０５ｂ、判定部１０５ｃは、最尤推定測角処理を行う部位であって、初期設定部１０５ａは探索グリッドを初期化する部位である。尤度関数算出部１０５ｂは、所定の探索グリッドに基づいて、当初は記憶部１０４に蓄積された受信信号について尤度関数の算出を行う部位である。ここで、この所定のグリッドとは、初回の演算においては初期設定部１０５ａが初期化した探索グリッドであり、２回目以降の演算においては、後述する探索範囲設定処理の処理結果に基づいて設定された探索グリッドである。判定部１０５ｃは、尤度関数算出部１０５ｂが算出した尤度関数から、受信アンテナ１０１に到来した入射波の到来方向を判定する部位である。
【００１１】
評価関数算出部１０６ａおよび探索範囲更新処理部１０６ｂ、探索角度分解能更新処理部１０６ｃは、探索範囲設定処理を行う部位である。評価関数算出部１０６ａは、尤度関数算出部１０５ｂが算出した尤度関数に基づいて、所定の評価関数を算出する部位である。また、探索範囲更新処理部１０６ｂは、評価関数算出部１０６ａが算出した評価関数から新たな探索範囲を設定する部位である。探索角度分解能更新処理部１０６ｃは、探索範囲更新処理部１０６ｂが設定した探索範囲において、分解能を設定する部位である。
【００１２】
なお、受信機１０２およびＡ／Ｄ変換部１０３、メモリ１０４は受信手段を構成する。また、尤度関数算出部１０５ｂおよび判定部１０５ｃは最尤推定測角手段を構成する。さらに、初期設定部１０５ａおよび評価関数算出部１０６ａ、探索範囲更新処理部１０６ｂ、探索角度分解能更新処理部１０６ｃは探索範囲設定処理手段を構成する。また、各部位は専用の装置又は回路によって構成されていてもよいが、ＣＰＵ（Ｃｅｎｔｒａｌ  Ｐｒｏｃｅｓｓｉｎｇ  Ｕｎｉｔ：中央演算装置）またはＤＳＰ（Ｄｉｇｉｔａｌ  Ｓｉｇｎａｌ  Ｐｒｏｃｅｓｓｏｒ）によって処理されるプログラムとして実現されていてもよい。
【００１３】
次に、この発明の実施の形態による測角装置の動作について、図を用いて説明する。まず受信アンテナ１０１から記憶部１０４までの動作について説明する。受信アンテナ１０１は波源から到来する入射波を受信すると、信号を受信機１０２に送る。受信機１０２は、受信アンテナ１０１が受信した入射波の受信信号に対して、検波処理を施し、検波後の受信信号をＡ／Ｄ変換器１０３に送る。Ａ／Ｄ変換器１０３は、検波後の受信信号をＡ／Ｄ変換して、受信信号の振幅を示すディジタル受信信号のｘｍ（ｎ）を出力する。ここで、ｘｍ（ｎ）は第ｍ番目のビーム（ｍ＝１，２，・・・，Ｍ；  Ｍはビーム本数を表す。）で受信された信号のｎ番目（ｎ＝１，２，…，Ｎ；  Ｎはサンプル数）のサンプル値である。以下ではＭ本のビームで受信された受信信号をまとめて、次式のようにベクトル形式Ｘｎで表す。
【数１】
2008096137.tif 000003
ここで、上付きのＴは行列の転置を表す。また、この受信信号Ｘｎは、複数の波源からの入射波と、受信機雑音をはじめとする雑音成分の和で表される。
【００１４】
次に記憶部１０４は、Ａ／Ｄ変換器１０３から出力された受信信号Ｘｎを一時蓄積する。
【００１５】
続いて、この発明の実施の形態の測角装置によって行われる探索範囲設定処理と最尤推定測角処理について説明する。まず、これらの処理について大まかに説明しておくと、次のようになる。すなわち、初めに比較的広い探索範囲に対して粗い探索グリッド間隔を用いて最尤推定測角処理を行う。次に、その結果に基づいて探索領域を絞ると共に探索グリッド間隔を狭めて再度最尤推定測角処理を行うことを反復することによって測角精度を逐次的に向上していくのである。
【００１６】
これにより、マルチパス波のような相関の高い信号を含む複数の入射波の到来方向を、アンテナのビーム幅で決まる角度分解能以上の精度で推定することを可能にすると同時に、全体の演算量を低減するのである。また、逐次的に分解能を向上していく処理であるため、処理の途中経過において、その時点での到来方向の推定結果を出力することができる。そのため、すべての処理が完了する前であっても、複数の入射波の到来方向について、おおまかな推定値を得ることができるのである。
【００１７】
続いて、以上の処理を各構成部位の作用とともに、より詳細に説明することとする。図２は探索範囲設定処理と最尤推定測角処理を示すフローチャートである。まず、初期設定部１０５ａは、図４に示すように入射波の到来方向を探索する探索範囲２０１を設定して、その中に探索グリッド２０２を設定する初期化を行う（ステップＳＴ１）。このとき、観測対象とする領域全体を初期の探索範囲とすればよい。また、初期の探索グリッドの間隔は、後述の処理において計算に要する時間と、測角結果の出力までに許容される遅延時間を考慮して決定される設計事項である。
【００１８】
尤度関数算出部１０５ｂは、記憶部１０４に蓄積された受信信号Ｘｎ（ｎ＝１，２，・・・Ｎ）を読み出す。そして、受信信号の共分散行列ＲＮを式（２）によって算出する（ステップＳＴ２）。
【００１９】
なおステップＳＴ２以降、ステップＳＴ９までの処理はループをなして複数回実行されうるが、式（２）によって受信信号の共分散行列ＲＮを算出するのは初回のステップＳＴ２実行のみであり、２回目以降は前回算出された共分散行列ＲＮと新たな受信信号ＸＮ＋１を用いて、式（３）によって共分散行列ＲＮ＋１を算出する。
【数２】
2008096137.tif 000004
【数３】
2008096137.tif 000005
ここで、Ｗは過去のデータに適当な重みをつけるための係数であって、１以下の値とする。
【００２０】
次に、尤度関数算出部１０５ｂは、入射波の数Ｋを推定する（ステップＳＴ３）。ここで、入射波の数Ｋは、赤池の情報基準（ＡＩＣ：Ａｋａｉｋｅ  Ｉｎｆｏｒｍａｔｉｏｎ  Ｃｒｉｔｅｒｉａ）や、ＭＤＬ（Ｍｉｎｉｍｕｍ  Ｄｅｓｃｒｉｐｔｉｏｎ  Ｌｅｎｇｔｈ）等のモデル選択の基準を用いて推定する。上記の入射波数推定方法は、文献Ｍ．Ｗａｘ，Ｔ．Ｋａｉｌａｔｈ，"Ｄｅｔｅｃｔｉｏｎ  ｏｆ  Ｓｉｇｎａｌｓ  ｂｙ  Ｉｎｆｏｒｍａｔｉｏｎ  Ｔｈｅｏｒｅｔｉｃ  Ｃｒｉｔｅｒｉａ，"（ＩＥＥＥ  Ｔｒａｎｓ．  Ａｃｏｕｓｔｉｃｓ，  Ｓｐｅｅｃｈ  ａｎｄ  Ｓｉｇｎａｌ  Ｐｒｏｃｅｓｓｉｎｇ，  ｖｏｌ．  ＡＳＳＰ−３３，  ｎｏ．２，  ｐｐ．３８７−３９２，  Ａｐｒ．  １９８５）などに記載されている。
【００２１】
さらに、尤度関数算出部１０５ｂは、尤度関数Ｐ（Θｐ）を算出する（ステップＳＴ４）。そのために、まず尤度関数算出部１０５ｂは、各探索グリッドに対応するステアリングベクトルａ（θｑ）（ｑ＝１，２，・・・，Ｑ；  Ｑは探索グリッド数）を生成する。ここでは、ステアリングベクトルａ（θｑ）は式（４）によって表される。
【数４】
2008096137.tif 000006
ここで、θｑはｑ番目の探索グリッドの方向（角度）を表すパラメータの組であり、例えば、アジマスとエレベーションの角度の組で表される。また、ａｍ（θｑ）は、第ｍ番目のビーム（ｍ＝１，２，・・・，Ｍ）の、θｑの方向のゲインである。
【００２２】
続いて、尤度関数算出部１０５ｂは設定されたＱ個の探索グリッドから、Ｋ個の探索グリッドのすべての組み合わせΘｐ＝（θα  θβ．．．θγ）に対して、上記ステアリングベクトルを並べた行列Ａ（Θｐ）を設定し，尤度関数Ｐ（Θｐ）を式（５）によって算出する。ただし、ｐはｐ＝１，２，・・・，Ｐを満たすものであって、ＰはＱ個の探索グリッドからＫ個を選択するすべての組み合わせ、すなわちＰ＝ＱＣＫである。
【数５】
2008096137.tif 000007
また式（５）において、上付きの＋は、式（６）で定義されるように、行列のＭｏｏｒｅ−Ｐｅｎｒｏｓｅ擬似逆行列を表す。
【数６】
2008096137.tif 000008
【００２３】
式（５）において、尤度関数Ｐ（Θｐ）は、Ｋ個の入射波が、Θｐの組み合わせで表される方向から到来していると仮定したときに、現在の観測値Ｘｎ（ｎ＝１，２，…，Ｎ）と一致する程度を測る指標である。尤度関数Ｐ（Θｐ）の値域は、０以上１以下であり、尤度関数Ｐ（Θｐ）の値が１のとき、Ｋ個の入射波の到来方向はΘｐの組み合わせに一致する。また、ここでの入射波到来方向の推定精度は、図４に示した探索グリッド２０２の間隔を超えることはない。なお、式（５）の尤度関数Ｐ（Θｐ）は、受信信号Ｘｎが多次元正規分布に従うと仮定したときの対数尤度として導出されたものである
【００２４】
次に判定部１０５ｃは、尤度関数Ｐ(Θｐ)の最大値を探索し、Ｐ(Θｐ)の最大値を与えるΘｐを、Ｋ個の入射波の到来方向であると判定して判定結果を出力する（ステップＳＴ５）。あるいは、判定部１０５ｃは事前に設定された閾値と尤度関数Ｐ(Θｐ)の値を比較し、尤度関数Ｐ(Θｐ)の値が閾値を超える領域に入射波が存在する可能性があると判定して判定結果を出力するような構成としてもよい。
【００２５】
以後、ステップＳＴ６からステップＳＴ８までの処理は、探索範囲設定処理であって、探索範囲設定処理部１０６によって行われるものである。まず、探索範囲設定処理部１０６は評価関数算出部１０６ａにおいて、尤度関数算出部１０５ｂにおいて算出された尤度関数Ｐ(Θｐ)を用いて次式で表される評価関数Ｉ（θｑ）（ｑ＝１，２，・・・，Ｑ；  Ｑは探索グリッド数）を算出する（ステップＳＴ６）。
【数７】
2008096137.tif 000009
ここで、Ｕｑは注目する探索グリッド点ｑを含むすべてのΘｐの集合である。なお、評価関数Ｐ(Θｐ)は、探索範囲２０１に設定したＱ個の探索グリッド上でＫ個の探索グリッドの各組み合わせに対して値が定義される関数であるが、評価関数Ｉ（θｑ）は評価関数Ｐ(Θｐ)を注目点ｑについて積分しているため、各探索グリッド２０２に対して値が定義される。
【００２６】
１／｛１−Ｐ(Θｐ)｝は、Θｐが入射波の真の到来方向の組み合わせに一致するとき極めて大きな極大値をとる。したがって、評価関数Ｉ（θｑ）は、Ｕｑが入射波の真の到来方向の組み合わせに一致するΘｐを含んでいるとき、極大値を取ることが期待される。つまり評価関数Ｉ（θｑ）は、探索グリッド点ｑ（ｑ＝１，２，・・・，Ｑ）近傍の角度から入射波が到来している可能性の高さの指標として用いることができる。
【００２７】
次に、探索範囲更新処理部１０６ｂは、図４に示すように、評価関数算出部１０６ａにおいて算出された評価関数２０３を、事前に設定した閾値２０４と比較して、評価関数２０３の値が閾値２０４を超える領域の近傍を新たな探索範囲２０５に設定する（ステップＳＴ７）。そして、探索角度分解能更新処理部１０６ｃは、探索範囲更新処理部１０６ｂの中に新たな間隔で探索グリッド２０６を設定する（ステップＳＴ８）。このときグリッド間隔は、探索範囲内に設定する探索グリッドの総数が、ある一定値（探索グリッドの最大数）を超えないように設定する。探索グリッドの最大数は、一般に、演算回路の処理速度と許容される計算時間から決定される設計事項である。
【００２８】
以上によって探索範囲設定処理部１０６において更新された探索範囲と探索グリッドの情報は、再び、最尤推定測角処理部１０５に送られる。最尤推定測角処理部１０５は更新された探索範囲と探索グリッドに対して上記で説明した処理を反復する。なお、２回目以降の反復において、尤度関数算出部１０５ｂにおける入射波の数の推定は、必要なければ実施しなくてもよい。
【００２９】
次に、所望の測角精度が得られたかどうか判断する（ステップＳＴ９）。所望の測角精度が得られていない場合はステップＳＴ３に戻って、より細かな探索グリッドに基づいて尤度関数の算出を繰り返す。なお、この尤度関数の算出処理の繰り返しについては、ステップＳＴ３に戻らずに、ステップＳＴ２に戻るようにしてもよい。すなわち、ステップＳＴ２に戻る場合は、次回の尤度関数算出処理において、新たな受信信号の影響を考慮することになる。またステップＳＴ３に戻る場合は、すでに得られている受信信号のみで、尤度関数の算出を再度行うことになる。
【００３０】
またステップＳＴ９で所望の測角精度が得られたのであれば、処理を終了する。
【００３１】
以上から明らかなように、この発明の実施の形態によるレーダ装置では、段階的に測角精度を向上していくこととした。これにより、マルチパス波のような相関の高い信号を含む複数の入射波の到来方向を、アンテナのビーム幅で決まる角度分解能以上の精度で推定することを可能とすると共に、全体の演算量を低減できる。
【００３２】
また、逐次的に分解能を向上していく処理であるため、処理の過程において、その時点での到来方向の推定結果を出力することができ、全ての処理が完了する前に、複数の入射波の到来方向について、おおまかな推定値を得ることができるのである。
【００３３】
なお、上記の説明では、受信アンテナ１０１から探索角度分解能更新処理部１０６ｃに至るまでの構成要素を一体のレーダ装置の中で構成する例について説明した。しかし、受信アンテナ１０１から記憶部１０４までについては既存のレーダ装置を用い、それ以外の測角機能を実現する部位を、レーダ装置とは別体に構成された測角装置として実現するようにして、記憶部１０４を介して受信信号データを共有するようにしてもよい。
【図面の簡単な説明】
【００３４】
【図１】この発明の実施の形態１によるレーダ装置の構成を示すブロック図である。
【図２】この発明の実施の形態１によるレーダ装置の動作を示すフローチャートである。
【図３】この発明の実施の形態１によるレーダ装置の受信アンテナの構成を示す説明図である。
【図４】この発明の実施の形態１によるレーダ装置における探索範囲と探索グリッドの設定方法の概念を説明するための概念図である。
【符号の説明】
【００３５】
１０１  受信アンテナ、
１０２  受信機、
１０３  Ａ／Ｄ変換器、
１０４  記憶部、
１０５ａ  初期設定部、
１０５ｂ  尤度関数算出部、
１０５ｃ  判定部、
１０６ａ  評価関数算出部、
１０６ｂ  探索範囲更新処理部、
１０６ｃ  探索角度分解能更新処理部。
【図１】
2008096137.tif 000010
【図２】
2008096137.tif 000011
【図３】
2008096137.tif 000012
【図４】
2008096137.tif 000013